(57)【要約】      （修正有）【課題】超高音質用の固体電解コンデンサを提供する。【解決手段】リードタブ１１を有するコンデンサ素子１０と、コンデンサ素子１０を被覆するアルミケース２０と、コンデンサ素子１０とアルミケース２０との間に取り付けられるシート３０と、ゴム封口体４０とを備え、コンデンサ素子１０のリードタブ１１をゴム封口体４０に設けられた孔に挿入する構成で、これにより、液体電解コンデンサに匹敵するか、あるいはそれを上回るレベルの音質を実現する固体電解コンデンサを提供する。【選択図】図２
0003216225.tif 000002
【実用新案登録請求の範囲】
【請求項１】
超高音質用の固体電解コンデンサであって、
リードタブ（１１）を有するコンデンサ素子（１０）と、
前記コンデンサ素子（１０）を被覆するアルミケース（２０）と、
前記コンデンサ素子（１０）と前記アルミケース（２０）との間に取り付けられるシート（３０）と、
ゴム封口体（４０）とを備え、
前記コンデンサ素子（１０）の前記リードタブ（１１）を前記ゴム封口体（４０）に設けられた孔に挿入することを特徴とする、超高音質用の固体電解コンデンサ。
【請求項２】
前記シート（３０）は、ポリエチレンテレフタレート（Ｐｏｌｙｅｔｈｙｌｅｎｅ  ｔｅｒｅｐｈｔｈａｌａｔｅ，ＰＥＴ）、ポリテトラフルオロエチレン（Ｐｏｌｙｔｅｔｒａｆｌｕｏｒｏｅｔｈｙｌｅｎｅ，ＰＴＦＥ、通称：テフロン（登録商標））または電解紙からなるものであることを特徴とする、請求項１記載の超高音質用の固体電解コンデンサ。
【請求項３】
前記アルミケース（２０）には、外部絶縁材を使用せず、印刷を目的とする塗膜層の生成を行わないことを特徴とする、請求項１記載の超高音質用の固体電解コンデンサ。
【考案の詳細な説明】
【技術分野】
【０００１】
本考案は、固体電解コンデンサに係り、特に超高音質用の固体電解コンデンサに関する。
【考案の概要】
【考案が解決しようとする課題】
【０００２】
従来から、固体電解コンデンサは、電解液を適用したコンデンサと比較すると、音質の点で若干遜色は認められる。
【課題を解決するための手段】
【０００３】
本考案より、超高音質用の固体電解コンデンサを提供することができ、それはリードタブを有するコンデンサ素子と、コンデンサ素子を被覆するアルミケースと、コンデンサ素子とアルミケースとの間に取り付けられるシートと、ゴム封口体とを備え、コンデンサ素子のリードタブをゴム封口体に設けられた孔に挿入する構成である。これによって、液体電解コンデンサに匹敵するか、あるいはそれを上回るレベルの音質を実現する固体電解コンデンサを提供する。
【図面の簡単な説明】
【０００４】
【図１】本考案の超高音質用の固体電解コンデンサの製造フロー図である。
【図２】本考案の超高音質用の固体電解コンデンサの構造を示す模式図である。
【考案を実施するための形態】
【０００５】
図１と図２を参照する。有機高分子固体電解コンデンサに各種の固体電解質が使用されている。本考案の超高音質用の固体電解コンデンサは、高分子電解質または液体電解質のいずれかを同時に使用するコンデンサに関する。
【０００６】
本考案の超高音質用の固体電解コンデンサは、主に、コンデンサ素子１０と、アルミケース２０と、コンデンサ素子１０とアルミケース２０との間に取り付けられるシート３０と、ゴム封口体４０と、座板５０とを備える。コンデンサ素子１０は、一体化したリードタブ１１と端子１２を有し、リードタブ１１と端子１２をゴム封口体４０の孔に挿入することができる。
【０００７】
本考案の超高音質用の固体電解コンデンサの製造プロセスは、アルミ箔の裁断工程と、素子の加締・巻取工程と、化成工程と、炭化工程と、含浸（高分子）工程と、重合工程と、樹脂被覆工程と、樹脂挿入工程と、組立工程と、充電・選別工程と、加工（印刷／座板）工程と、完成品工程とを含む。
【０００８】
アルミ箔の表面をエッチング処理して粗面化した後、引き続き、化成処理して誘電体皮膜を形成する。
【０００９】
陽極アルミ箔と、電解紙と、陰極アルミ箔とを裁断した後に、それらをリードタブ１１と端子１２に加締めてコンデンサ素子１０内に巻回する場合、その内部に高分子電解質が生成したのち、コンデンサ素子１０の周辺に不安定な固体電解質を防止するための各種の樹脂層を生成し、高分子層の固定化を強固にすることにより、音質の高度化を実現する。そのうち、高分子層が生成したコンデンサ素子１０に、シリコーン重合体（Ｓｉｌｉｃｏｎｅ  ｐｏｌｙｍｅｒ）、エポキシ樹脂（Ｅｐｏｘｙ  ｒｅｓｉｎ）またはポリエステル（Ｐｏｌｙｅｓｔｅｒ）が使用される樹脂被覆処理を行う。さらに、リードタブ１１と端子１２の芯材として鉄線または銅線を使用することができる。
【００１０】
パッキング用のアルミケース２０には、音質の向上を図るため、外部絶縁材を使用せず、印刷を目的とする塗膜層の生成を行わないようにする。アルミケース２０に関する処理では、ポリエチレンテレフタレート（英語名：Ｐｏｌｙｅｔｈｙｌｅｎｅ  ｔｅｒｅｐｈｔｈａｌａｔｅ、略称：ＰＥＴ）材からなるスリーブを使用することができ、この場合、スリーブの長さをアルミケース２０の長さよりも短く裁断しても良く、またはスリーブは、スリーブでアルミケース２０の上部を被覆しても良く、あるいはスリーブを使用しなくても良い。
【００１１】
高音質及び耐剥離性を考慮して対応の特殊インキを用いてアルミケース２０上に直接に表示を印刷し、製品表示を完成する。そのため、印刷インキは、リフロー半田付け炉を通過した状態でも、剥離しないアルミ対応の特殊インキを使用することができる。
【００１２】
高分子電解質が生成し、かつ内外部に樹脂層を生成したコンデンサ素子１０をアルミケース２０内に挿入する段階において、まず、シート３０をアルミケース２０内に挿入してから、コンデンサ素子１０を挿入する。そのうち、アルミケース２０に挿入されるシート３０は、ポリエチレンテレフタレート（Ｐｏｌｙｅｔｈｙｌｅｎｅ  ｔｅｒｅｐｈｔｈａｌａｔｅ，ＰＥＴ）またはポリテトラフルオロエチレン（Ｐｏｌｙｔｅｔｒａｆｌｕｏｒｏｅｔｈｙｌｅｎｅ，ＰＴＦＥ、通称：テフロン（登録商標））からなるものであっても良く、あるいは電解紙であっても良い。
【００１３】
リードタブ１１と端子１２を有するコンデンサ素子１０をゴム封口体４０の孔に挿入すれば、コンデンサの組立を完成する。
【００１４】
引き続き、上記のコンデンサに座板５０を付ければ、表面実装用電解コンデンサを完成する。
【００１５】
ここで、実際に静電容量４７０μｆ、定格電圧６．３Ｖ、サイズφ８×１０Ｌ、動作上限温度１０５℃のコンデンサを例として挙げて説明する。
【００１６】
化成した後、伝導性高分子が生成し、最終温度が２００℃以上であることが好ましく、特に２６０℃の温度において最も高い導電度が得られ、導電性高分子が生成する。
【００１７】
コンデンサ素子を乾燥させた後、例えば常圧の環境下で、コンデンサ素子の一部にペルノックス樹脂（荒川化学工業社製）を含浸させる。
【００１８】
一定速度でコンデンサ素子を引き上げたのち、常温乾燥させて、この後、１００〜１５０℃で１〜２時間乾燥させることが好ましく、特にコンデンサ素子の内部と外部に丈夫な樹脂層を形成するために、１５０℃で２時間乾燥させることがより好ましい。これによって、コンデンサ素子の強度を強化させることができる。
【００１９】
一体化したリードタブと端子を有する上記のコンデンサ素子を、あらかじめテフロン（登録商標）シート（日東化学製）を挿入したアルミケース内に挿入する。
【００２０】
リードタブと端子の芯材として鉄線または銅線を使用することができる。さらに、線材は、錫をベースとし、これに０．０１％ビスマスを添加した合金で電気めっきされる線材を使用することができる。
【００２１】
リードタブと端子をゴム封口体に挿入して封止すれば、コンデンサの組立を完成する。本実施例は、表面実装品を目的とする例であるので、座板部材を使用することとなると、上記のコンデンサの完成品のリードタブを座板に挿入すれば、一般のＳＭＤ型チップコンデンサ（Ｖ−Ｃｈｉｐ）構造の組立を完成する。
【００２２】
各異なる条件項目に点数（１００点満点）を付けて評価を行い、得られた試聴結果を下表に示す。
【００２３】
【表１】
0003216225.tif 000003
【符号の説明】
【００２４】
１０    コンデンサ素子
１１    リードタブ
１２    端子
２０    アルミケース
３０    シート
４０    ゴム封口体
５０    座板
【図１】
0003216225.tif 000004
【図２】
0003216225.tif 000005
【手続補正書】
【提出日】平成30年3月13日(2018.3.13)
【手続補正１】
【補正対象書類名】実用新案登録請求の範囲
【補正対象項目名】全文
【補正方法】変更
【補正の内容】
【実用新案登録請求の範囲】
【請求項１】
超高音質用の固体電解コンデンサであって、
リードタブ（１１）を有するコンデンサ素子（１０）と、
前記コンデンサ素子（１０）を被覆するアルミケース（２０）と、
前記コンデンサ素子（１０）と前記アルミケース（２０）との間に取り付けられるシート（３０）と、
ゴム封口体（４０）とを備え、
前記コンデンサ素子（１０）の前記リードタブ（１１）を前記ゴム封口体（４０）に設けられた孔に挿入することを特徴とする、超高音質用の固体電解コンデンサ。
【請求項２】
前記シート（３０）は、ポリエチレンテレフタレート（Ｐｏｌｙｅｔｈｙｌｅｎｅ  ｔｅｒｅｐｈｔｈａｌａｔｅ，ＰＥＴ）、ポリテトラフルオロエチレン（Ｐｏｌｙｔｅｔｒａｆｌｕｏｒｏｅｔｈｙｌｅｎｅ，ＰＴＦＥ）または電解紙からなるものであることを特徴とする、請求項１記載の超高音質用の固体電解コンデンサ。
【請求項３】
前記アルミケース（２０）には、外部絶縁材を使用せず、印刷を目的とする塗膜層の生成を行わないことを特徴とする、請求項１記載の超高音質用の固体電解コンデンサ。